(57)【特許請求の範囲】
【請求項１】
撮影画像データを記録する所定の規格のカードが着脱自在に装着されるカードスロットと、
所定の機能を有する内部ユニットと、
前記カードスロットと対になって設けられている入出力インターフェースと、
前記カードスロットに装着される前記カードを前記入出力インターフェースを介して制御するコントローラと、
前記カードスロットまたは前記内部ユニットのいずれか一方と前記入出力インターフェースとの間の接続を切り換える接続切換手段と、
この接続切換手段による切り換えによって前記内部ユニットと前記入出力インターフェースとが接続されて前記カードスロットが使用できない状態を検出すると撮影画像データの記録先を前記カードから他の記憶部に切り換える記録先切換手段と
を備えていることを特徴とする撮影装置。
【請求項２】
請求項１に記載の撮影装置において、
前記他の記憶部は、撮影装置の内部に備えられた内蔵メモリであり、
撮影画像データの記録先が前記記録先切換手段によって前記内蔵メモリに切り換えられると撮影画像データを前記内蔵メモリに記録し、前記入出力インターフェースとの接続が前記接続切換手段によって前記内部ユニットから前記カードスロットに切り換えられて前記カードスロットが使用可能となった状態を検出すると、前記内蔵メモリに記録された撮影画像データを前記カードに記録する記録制御手段を備えていることを特徴とする撮影装置。
【請求項３】
請求項１に記載の撮影装置において、
前記入出力インターフェースと前記カードスロットとの対が複数設けられており、
一の入出力インターフェースには、前記接続切換手段を介して一のカードスロットまたは前記内部ユニットのいずれか一方が接続され、
他の入出力インターフェースには他のカードスロットが接続され、
前記他の記憶部は、撮影装置の内部に備えられた内蔵メモリまたは前記他のカードスロットに装着された他のカードからなり、
撮影画像データの記録先が前記記録先切換手段によって前記内蔵メモリに切り換えられると撮影画像データを前記内蔵メモリに記録し、撮影画像データの記録先が前記記録先切換手段によって前記他のカードに切り換えられると撮影画像データを前記他のカードに記録し、前記一の入出力インターフェースとの接続が前記接続切換手段によって前記内部ユニットから前記一のカードスロットに切り換えられて前記一のカードスロットが使用可能となった状態を検出すると、前記内蔵メモリまたは前記他のカードに記録された撮影画像データを前記一のカードスロットに装着された一のカードに記録する記録制御手段を備えていることを特徴とする撮影装置。
【請求項４】
請求項１に記載の撮影装置において、
前記入出力インターフェースと前記カードスロットとの対が複数設けられており、
一の入出力インターフェースには、前記接続切換手段を介して一のカードスロットまたは前記内部ユニットのいずれか一方が接続され、
他の入出力インターフェースには他のカードスロットが接続され、
前記他の記憶部は、撮影装置の内部に備えられた内蔵メモリまたは前記他のカードスロットに装着された他のカードからなり、
前記一のカードスロットに装着された一のカードおよび前記他のカードには同じ撮影画像データが異なる形式で記録され、
撮影画像データの記録先が前記記録先切換手段によって前記内蔵メモリに切り換えられると、前記一のカードに記録先が設定されている撮影画像データを前記内蔵メモリに記録し、撮影画像データの記録先が前記記録先切換手段によって前記他のカードに切り換えられると、前記一のカードに記録先が設定されている撮影画像データを前記他のカードに記録し、前記一の入出力インターフェースとの接続が前記接続切換手段によって前記内部ユニットから前記一のカードスロットに切り換えられて前記一のカードスロットが使用可能となった状態を検出すると、前記内蔵メモリまたは前記他のカードに記録された撮影画像データを前記一のカードに記録する記録制御手段を備えていることを特徴とする撮影装置。
【請求項５】
請求項１に記載の撮影装置において、
前記入出力インターフェースと前記カードスロットとの対が複数設けられており、
一の入出力インターフェースには、前記接続切換手段を介して一のカードスロットまたは前記内部ユニットのいずれか一方が接続され、
他の入出力インターフェースには他のカードスロットが接続され、
前記他の記憶部は、撮影装置の内部に備えられた内蔵メモリまたは前記他のカードスロットに装着された他のカードからなり、
前記一のカードスロットに装着された一のカードおよび前記他のカードには同一の撮影画像データが記録され、
撮影画像データの記録先が前記記録先切換手段によって前記内蔵メモリに切り換えられると撮影画像データを前記内蔵メモリおよび前記他のカードに記録し、前記一の入出力インターフェースとの接続が前記接続切換手段によって前記内部ユニットから前記一のカードスロットに切り換えられて前記一のカードスロットが使用可能となった状態を検出すると、前記内蔵メモリに記録された撮影画像データを前記一のカードに記録し、
撮影画像データの記録先が前記記録先切換手段によって前記他のカードに切り換えられると、撮影画像データを前記他のカードにのみ記録し、前記一の入出力インターフェースとの接続が前記接続切換手段によって前記内部ユニットから前記一のカードスロットに切り換えられて前記一のカードスロットが使用可能となった状態を検出すると、前記他のカードに記録された撮影画像データを前記一のカードに複写する記録制御手段を備えていることを特徴とする撮影装置。
【請求項６】
請求項１に記載の撮影装置において、
前記入出力インターフェースと前記カードスロットとの対が複数設けられており、
一の入出力インターフェースには一の前記接続切換手段を介して一のカードスロットまたは前記内部ユニットのいずれか一方が接続され、
他の入出力インターフェースには他の前記接続切換手段を介して他のカードスロットまたは前記内部ユニットのいずれか一方が接続され、
前記他の記憶部は、撮影装置の内部に備えられた内蔵メモリ、または、前記一のカードスロットに装着された一のカード、もしくは前記他のカードスロットに装着された他のカードからなり、
前記一のカードスロットおよび前記他のカードスロットが使用できない状態が検出されて撮影画像データの記録先が前記記録先切換手段によって前記内蔵メモリに切り換えられると、撮影画像データを前記内蔵メモリに記録し、前記一の入出力インターフェースまたは前記他の入出力インターフェースとの接続が前記接続切換手段によって前記内部ユニットから前記一のカードスロットまたは前記他のカードスロットに切り換えられて前記一のカードスロットまたは前記他のカードスロットが使用可能となった状態を検出すると、前記内蔵メモリに記録された撮影画像データを使用可能となった前記カードスロットに装着された前記一のカードまたは前記他のカードに記録し、
前記一のカードスロットまたは前記他のカードスロットのいずれか一方が使用できない状態が検出されて撮影画像データの記録先が前記記録先切換手段によって前記他のカードもしくは前記一のカードまたは前記内蔵メモリに切り換えられると、撮影画像データを前記他のカードもしくは前記一のカードまたは前記内蔵メモリに記録し、前記一の入出力インターフェースまたは前記他の入出力インターフェースとの接続が前記接続切換手段によって前記内部ユニットから前記一のカードスロットまたは前記他のカードスロットに切り換えられて前記一のカードスロットまたは前記他のカードスロットが使用可能となった状態を検出すると、前記他のカードもしくは前記一のカードまたは前記内蔵メモリに記録された撮影画像データを使用可能となった前記カードスロットに装着された前記一のカードまたは前記他のカードに記録する記録制御手段を備えていることを特徴とする撮影装置。
【発明の詳細な説明】
【技術分野】
【０００１】
本発明は、所定の規格のカードが着脱自在に装着されるカードスロットを備えた撮影装置に関するものである。
【背景技術】
【０００２】
従来、このようなカードスロットを備えた装置としては、例えば、特許文献１に開示される情報処理装置がある。この装置には、メモリ機能を有するカードや無線通信機能などの拡張機能を有するカードが着脱自在に装着される２つのカードスロットが設けられている。メモリ機能を有するカードがカードスロットに装着されると、カードが装着されたカードスロットとメモリコントローラとがセレクタによって電気的に接続され、カードに対するデータの読み書きが可能となる。また、拡張機能を有するカードがカードスロットに装着されると、カードが装着されたカードスロットとＩＯコントローラとがセレクタによって電気的に接続され、拡張機能の利用が可能になる。
【先行技術文献】
【特許文献】
【０００３】
【特許文献１】特開２００４−４６４９８号公報
【発明の概要】
【発明が解決しようとする課題】
【０００４】
しかしながら、特許文献１に開示される上記従来の装置では、拡張機能を有するカードがカードスロットに装着されて、セレクタによってカードスロットとＩＯコントローラとが電気的に接続された状態では、メモリ機能を有するカードがカードスロットに装着されても、カードスロットとメモリコントローラとが電気的に接続されない状態となる。このため、上記従来の装置で、拡張機能を使用している際には、メモリ機能を有するカードに対してデータの書き込みが行えなかった。
【課題を解決するための手段】
【０００５】
本発明はこのような課題を解決するためになされたもので、
撮影画像データを記録する所定の規格のカードが着脱自在に装着されるカードスロットと、
所定の機能を有する内部ユニットと、
カードスロットと対になって設けられている入出力インターフェースと、
カードスロットに装着されるカードを入出力インターフェースを介して制御するコントローラと、
カードスロットまたは内部ユニットのいずれか一方と入出力インターフェースとの間の接続を切り換える接続切換手段と、
この接続切換手段による切り換えによって内部ユニットと入出力インターフェースとが接続されてカードスロットが使用できない状態を検出すると撮影画像データの記録先をカードから他の記憶部に切り換える記録先切換手段と
を備えて撮影装置を構成した。
【０００６】
この構成によれば、接続切換手段により入出力インターフェースに内部ユニットが接続されて内部ユニットが有する所定の機能が作動し、カードスロットに装着されたカードが使用できない状態になっても、記録先切換手段が、その状態を検出すると、撮影画像データの記録先をカードから他の記憶部に切り換える。このため、内部ユニットを使用した状態でも、撮影画像データが他の記憶部に記録されることとなり、撮影者は撮影を中断することなく撮影を行うことが可能となる。
【０００７】
また、本発明は、
他の記憶部が、撮影装置の内部に備えられた内蔵メモリであり、
撮影画像データの記録先が記録先切換手段によって内蔵メモリに切り換えられると撮影画像データを内蔵メモリに記録し、入出力インターフェースとの接続が接続切換手段によって内部ユニットからカードスロットに切り換えられてカードスロットが使用可能となった状態を検出すると、内蔵メモリに記録された撮影画像データをカードに記録する記録制御手段を備えていることを特徴とする。
【０００８】
この構成によれば、記録制御手段が、カードスロットが使用可能となった状態を検出すると、内蔵メモリに記録された撮影画像データをカードに記録する。このため、撮影者は、内部ユニットの使用を終えた後に、内蔵メモリに記録された撮影画像データをカードに移動させる操作に煩わされることがない。
【０００９】
また、本発明は、
入出力インターフェースとカードスロットとの対が複数設けられており、
一の入出力インターフェースには、接続切換手段を介して一のカードスロットまたは内部ユニットのいずれか一方が接続され、
他の入出力インターフェースには他のカードスロットが接続され、
他の記憶部は、撮影装置の内部に備えられた内蔵メモリまたは他のカードスロットに装着された他のカードからなり、
撮影画像データの記録先が記録先切換手段によって内蔵メモリに切り換えられると撮影画像データを内蔵メモリに記録し、撮影画像データの記録先が記録先切換手段によって他のカードに切り換えられると撮影画像データを他のカードに記録し、一の入出力インターフェースとの接続が接続切換手段によって内部ユニットから一のカードスロットに切り換えられて一のカードスロットが使用可能となった状態を検出すると、内蔵メモリまたは他のカードに記録された撮影画像データを一のカードスロットに装着された一のカードに記録する記録制御手段を備えていることを特徴とする。
【００１０】
この構成によれば、記録先切換手段が、接続切換手段による切り換えによって内部ユニットと入出力インターフェースとが接続されてカードスロットが使用できない状態を検出すると、撮影画像データを内蔵メモリまたは他のカードに記録し、記録制御手段が、一のカードスロットに装着された一のカードが使用可能となったときに、内蔵メモリまたは他のカードに記録された撮影画像データを一のカードに記録する。このため、入出力インターフェースとカードスロットとの対が複数設けられている場合でも、撮影画像データは内蔵メモリまたは他のカードに記録されて、撮影者は、撮影を中断する必要がなく、しかも、内部ユニットの使用を終えた後に、内蔵メモリまたは他のカードに記録された撮影画像データを一のカードに移動させる操作に煩わされることがない。
【００１１】
また、本発明は、
入出力インターフェースとカードスロットとの対が複数設けられており、
一の入出力インターフェースには、接続切換手段を介して一のカードスロットまたは内部ユニットのいずれか一方が接続され、
他の入出力インターフェースには他のカードスロットが接続され、
他の記憶部は、撮影装置の内部に備えられた内蔵メモリまたは他のカードスロットに装着された他のカードからなり、
一のカードスロットに装着された一のカードおよび他のカードには同じ撮影画像データが異なる形式で記録され、
撮影画像データの記録先が記録先切換手段によって内蔵メモリに切り換えられると、一のカードに記録先が設定されている撮影画像データを内蔵メモリに記録し、撮影画像データの記録先が記録先切換手段によって他のカードに切り換えられると、一のカードに記録先が設定されている撮影画像データを他のカードに記録し、一の入出力インターフェースとの接続が接続切換手段によって内部ユニットから一のカードスロットに切り換えられて一のカードスロットが使用可能となった状態を検出すると、内蔵メモリまたは他のカードに記録された撮影画像データを一のカードに記録する記録制御手段を備えていることを特徴とする。
【００１２】
この構成によれば、記録先切換手段が、接続切換手段による切り換えによって内部ユニットと入出力インターフェースとが接続されて一のカードスロットが使用できない状態を検出すると、一のカードに記録先が設定されている撮影画像データを内蔵メモリまたは他のカードに記録する。また、記録制御手段が、一の入出力インターフェースとの接続が接続切換手段によって内部ユニットから一のカードスロットに切り換えられて一のカードスロットが使用可能となった状態を検出すると、内蔵メモリまたは他のカードに記録された撮影画像データを一のカードに記録する。このため、一のカードおよび他のカードに同じ撮影画像データを異なる形式で記録する設定を行った場合でも、撮影画像データは内蔵メモリまたは他のカードに記録されて、撮影者は、撮影を中断する必要がなく、しかも、内部ユニットの使用を終えた後に、内蔵メモリまたは他のカードに記録された撮影画像データを一のカードに移動させる操作に煩わされることがない。
【００１３】
また、本発明は、
入出力インターフェースとカードスロットとの対が複数設けられており、
一の入出力インターフェースには、接続切換手段を介して一のカードスロットまたは内部ユニットのいずれか一方が接続され、
他の入出力インターフェースには他のカードスロットが接続され、
他の記憶部は、撮影装置の内部に備えられた内蔵メモリまたは他のカードスロットに装着された他のカードからなり、
一のカードスロットに装着された一のカードおよび他のカードには同一の撮影画像データが記録され、
撮影画像データの記録先が記録先切換手段によって内蔵メモリに切り換えられると撮影画像データを内蔵メモリおよび他のカードに記録し、一の入出力インターフェースとの接続が接続切換手段によって内部ユニットから一のカードスロットに切り換えられて一のカードスロットが使用可能となった状態を検出すると、内蔵メモリに記録された撮影画像データを一のカードに記録し、
撮影画像データの記録先が記録先切換手段によって他のカードに切り換えられると、撮影画像データを他のカードにのみ記録し、一の入出力インターフェースとの接続が接続切換手段によって内部ユニットから一のカードスロットに切り換えられて一のカードスロットが使用可能となった状態を検出すると、他のカードに記録された撮影画像データを一のカードに複写する記録制御手段を備えていることを特徴とする。
【００１４】
この構成によれば、記録先切換手段が、接続切換手段による切り換えによって内部ユニットと入出力インターフェースとが接続されて一のカードスロットが使用できない状態を検出すると、撮影画像データを内蔵メモリおよび他のカード、または他のカードにのみ記録する。また、記録制御手段が、一の入出力インターフェースとの接続が接続切換手段によって内部ユニットから一のカードスロットに切り換えられて一のカードスロットが使用可能となった状態を検出すると、内蔵メモリに記録された撮影画像データを一のカードに記録する、または、他のカードにのみ記録された撮影画像データを一のカードに複写する。このため、一のカードおよび他のカードに同一の撮影画像データを記録する設定を行った場合でも、撮影画像データは内蔵メモリまたは他のカードに記録されて、撮影者は、撮影を中断する必要がなく、しかも、内部ユニットの使用を終えた後に、内蔵メモリまたは他のカードに記録された撮影画像データを一のカードに移動させる操作に煩わされることがない。
【００１５】
また、本発明は、
入出力インターフェースとカードスロットとの対が複数設けられており、
一の入出力インターフェースには一の接続切換手段を介して一のカードスロットまたは内部ユニットのいずれか一方が接続され、
他の入出力インターフェースには他の接続切換手段を介して他のカードスロットまたは内部ユニットのいずれか一方が接続され、
他の記憶部は、撮影装置の内部に備えられた内蔵メモリ、または、一のカードスロットに装着された一のカード、もしくは他のカードスロットに装着された他のカードからなり、
一のカードスロットおよび他のカードスロットが使用できない状態が検出されて撮影画像データの記録先が記録先切換手段によって内蔵メモリに切り換えられると、撮影画像データを内蔵メモリに記録し、一の入出力インターフェースまたは他の入出力インターフェースとの接続が接続切換手段によって内部ユニットから一のカードスロットまたは他のカードスロットに切り換えられて一のカードスロットまたは他のカードスロットが使用可能となった状態を検出すると、内蔵メモリに記録された撮影画像データを使用可能となったカードスロットに装着された一のカードまたは他のカードに記録し、
一のカードスロットまたは他のカードスロットのいずれか一方が使用できない状態が検出されて撮影画像データの記録先が記録先切換手段によって他のカードもしくは一のカードまたは内蔵メモリに切り換えられると、撮影画像データを他のカードもしくは一のカードまたは内蔵メモリに記録し、一の入出力インターフェースまたは他の入出力インターフェースとの接続が接続切換手段によって内部ユニットから一のカードスロットまたは他のカードスロットに切り換えられて一のカードスロットまたは他のカードスロットが使用可能となった状態を検出すると、他のカードもしくは一のカードまたは内蔵メモリに記録された撮影画像データを使用可能となったカードスロットに装着された一のカードまたは他のカードに記録する記録制御手段を備えていることを特徴とする。
【００１６】
この構成によれば、記録先切換手段が、一のカードスロットおよび他のカードスロットが使用できない状態を検出すると、撮影画像データを内蔵メモリに記録する。また、記録先切換手段が、一のカードスロットまたは他のカードスロットのいずれか一方が使用できない状態を検出すると、撮影画像データを他のカードもしくは一のカードまたは内蔵メモリに記録する。そして、記録制御手段が、一の入出力インターフェースまたは他の入出力インターフェースとの接続が接続切換手段によって内部ユニットから一のカードスロットまたは他のカードスロットに切り換えられて一のカードスロットまたは他のカードスロットが使用可能となった状態を検出すると、他のカードもしくは一のカードまたは内蔵メモリに記録された撮影画像データを使用可能となったカードスロットに装着された一のカードまたは他のカードに記録する。このため、一のカードスロットまたは他のカードスロットがそれぞれ接続切換手段を介して内部ユニットに接続される場合でも、撮影画像データは他のカードもしくは一のカードまたは内蔵メモリに記録されて、撮影者は、撮影を中断する必要がなく、しかも、内部ユニットの使用を終えた後に、他のカードもしくは一のカードまたは内蔵メモリに記録された撮影画像データを、使用可能となったカードスロットに装着された一のカードまたは他のカードに移動させる操作に煩わされることがない。
【発明の効果】
【００１７】
本発明による撮影装置によれば、上記のように、内部ユニットを使用した状態でも、撮影画像データが他の記憶部に記録されるので、撮影者は撮影を中断することなく撮影を行うことが可能となる。
【図面の簡単な説明】
【００１８】
【図１】本発明の一実施の形態によるデジタルカメラの外観を示す背面図である。
【図２】図１に示すデジタルカメラの上面図である。
【図３】図１に示すデジタルカメラの内部構成の概略を示すブロック図である。
【図４】本発明の第１の変形例によるデジタルカメラの内部構成の一部の概略を示すブロック図である。
【図５】本発明の第２の変形例によるデジタルカメラの内部構成の一部の概略を示すブロック図である。
【発明を実施するための形態】
【００１９】
次に、本発明による撮影装置をデジタルカメラに適用した場合における一実施の形態について説明する。
【００２０】
図１は、この一実施の形態によるデジタルカメラ１の外観を示す背面図である。
【００２１】
デジタルカメラ１の本体背面の中央上方には、撮影する被写体が視認される光学ファインダ２が設けられている。光学ファインダ２の上方のペンタ部１Ａには、被写体を照明する閃光装置などを取り付けるためのホットシュー３が設けられている。また、光学ファインダ２の右方には、シャッタースピードや露出補正値の変更などを行うためのコマンドダイアル４が設けられている。また、光学ファインダ２の下方には、ＴＦＴ(Thin Film Transistor)液晶からなる背面モニタ５が設けられている。背面モニタ５は、撮影に関する種々の情報や撮影画像などを表示する。
【００２２】
背面モニタ５の右側には、上下方向および左右方向といった操作方向を検出する方向キーからなるマルチセレクタ６が設けられており、マルチセレクタ６の内側には決定ボタン７が設けられている。マルチセレクタ６は、デジタルカメラ１の各種設定を行うメニュー画面において、種々の設定項目の中から所望の設定項目を選択する際に操作される。また、決定ボタン７は、マルチセレクタ６の操作によって選択された所望の設定項目を決定する際などに操作される。また、マルチセレクタ６の下方には、画像データの削除などの際に操作される削除ボタン８が設けられている。
【００２３】
また、背面モニタ５の左側には、上から順に、メニューボタン９、画像再生ボタン１０、縮小／サムネイルボタン１１、および拡大ボタン１２が設けられている。メニューボタン９は、上述したメニュー画面を呼び出して背面モニタ５に表示させる際に操作される。画像再生ボタン１０は、撮影画像を背面モニタ５に表示させる際に操作される。縮小／サムネイルボタン１１は、再生ボタン１０が操作されて背面モニタ５に表示される撮影画像を縮小表示させたり、撮影画像のサムネイル表示を行う際などに操作される。また、拡大ボタン１２は、背面モニタ５に表示される撮影画像を拡大表示させる際などに操作される。
【００２４】
マルチセレクタ６の右側には、カバー１４が開閉自在に取り付けられているカード収納部１３が設けられている。同図に示す例ではカバー１４は開いた状態になっている。カード収納部１３の内部には、撮影画像データを記録する所定の規格のカードが着脱自在に装着されるカードスロット１５が設けられている。本実施形態では、ＳＤ(Secure Digital)規格の、データを記録するＳＤメモリカードが着脱自在に装着される。また、カード収納部１３の周囲、本実施形態ではカード収納部１３の下方のカードスロット１５に対応する位置には、発光ダイオード（ＬＥＤ）からなるカードアクセスランプ１７が設けられている。カードアクセスランプ１７は、カードスロット１５に装着されたカードに対してアクセスがなされると、点灯する。
【００２５】
図２は図１に示すデジタルカメラ１の上面図を示す図である。なお、同図において、図１と同一または相当する部分には同一の符号を付して説明する。
【００２６】
同図に示すように、デジタルカメラ１の上面右方には、シャッターボタン２０が設けられている。シャッターボタン２０が半押し操作されると、ＡＦ(Auto Focus)機能が作動し、全押し操作されると、被写体の撮影が行われる。シャッターボタン２０の周囲には、デジタルカメラ１の電源のオン・オフ操作を行うための電源スイッチ２１が設けられている。また、シャッターボタン２０の手前側には、撮影に関する種々の情報が表示される上面表示パネル２２が設けられている。上面表示パネル２２には、シャッタースピードや、絞り値、デジタルカメラ１のバッテリー残量などが表示されると共に、カードスロット１５へのカードの挿入状況などを示すスロット表示欄が表示される。
【００２７】
図３は、デジタルカメラ１の内部構成の概略を示すブロック図である。なお、同図において、図１，図２と同一または相当する部分には同一の符号を付して説明する。
【００２８】
デジタルカメラ１は、制御部３１を備えている。制御部３１には図示しない不揮発性メモリが接続されており、不揮発性メモリには、制御部３１が種々の制御を行う際に参照される制御プログラムなどが格納されている。制御部３１は、不揮発性メモリに格納されている制御プログラムに従い、バッファメモリであるＳＤＲＡＭ３２を一時記憶作業領域として回路各部の制御を行い、デジタルカメラ１の種々の装置機能を作動させる。
【００２９】
制御部３１には、上述した背面モニタ５や上面表示パネル２２の他、各種ボタン４１やインターフェース回路４２が接続されている。各種ボタン４１は、上述したマルチセレクタ６や各ボタン７〜１２，２０，スイッチ２１などで構成される。また、インターフェース回路４２は、ケーブルでＵＳＢ(Universal Serial Bus)接続などされた外部機器との間で通信を行う回路である。
【００３０】
被写体光は、絞り３３，シャッター３４および撮影レンズ３５を介してデジタルカメラ１内に取り込まれ、撮像素子３６の撮像面上に結像する。制御部３１にはＡＦ駆動部３７が接続されており、ＡＦ機能の作動時には、ＡＦ駆動部３７により、撮像素子３６の撮像面に結像される被写体像のピントが合う合焦位置に撮影レンズ３５が移動させられる。撮像素子３６は、ＡＦＥ(Analog Front End)回路およびＡ／Ｄ(Analog/Digital)変換回路を有しており、撮像面上に結像した被写体像の情報は、これら各回路で処理されて、デジタルの撮像信号として出力される。ＤＦＥ(Digital Front End)回路３８は、デジタル画像処理ユニットを構成しており、撮像素子３６から出力されたデジタルの撮像信号に対して、ホワイトバランス処理やガンマ補正などの画像処理を行い、撮影された画像の画像データを生成する。生成された撮影画像データは、制御部３１により圧縮処理が施される。圧縮処理では、撮影画像データは、例えば、ＲＡＷデータからＪＰＥＧ(Joint Photographic Experts Group)データなどへ変換される。ＤＦＥ回路３８によって生成された撮影画像データは、ＳＤＲＡＭ３２に一時的に記憶されると共に、カードスロット１５に装着されたＳＤメモリカード３９に記録される。
【００３１】
撮影画像データのＳＤメモリカード３９への記録、およびＳＤメモリカード３９からの撮影画像データの読み出しは、制御部３１に接続されたＳＤコントローラ４３によって行われる。ＳＤコントローラ４３は入出力インターフェース“ＳＤＩＯ”を有し、この入出力インターフェース“ＳＤＩＯ”はカードスロット１５と対になって設けられている。カードスロット１５に装着されるカードと入出力インターフェース“ＳＤＩＯ”との間では、シリアル転送によるデータの送受信が行われる。ＳＤコントローラ４３の内部回路および上記入出力インターフェース“ＳＤＩＯ”は、１チップで構成されている。ＳＤコントローラ４３は、カードスロット１５に装着されるカードを入出力インターフェース“ＳＤＩＯ”を介して制御するコントローラを構成している。ＳＤメモリカード３９に記録された撮影画像データは、上述した画像再生ボタン１０が操作されることで、ＳＤコントローラ４３の制御の下、制御部３１によって背面モニタ５に表示される。
【００３２】
また、入出力インターフェース“ＳＤＩＯ”およびカードスロット１５間にはスイッチ４４が設けられている。スイッチ４４は、制御部３１の制御に基づいて、カードスロット１５またはＧＰＳユニット４５のいずれか一方とＳＤコントローラ４３の入出力インターフェース“ＳＤＩＯ”との間の接続を切り換える接続切換手段を構成している。ＧＰＳユニット４５は、ＧＰＳ(Global Positioning System：全地球測位システム)衛星から測位信号を受信する機能を所定の機能として有する内部ユニットを構成している。スイッチ４４による上記の切り換えは、メニューボタン９の操作によって背面モニタ５に表示される切換設定画面において、撮影者によって、カードスロット１５またはＧＰＳユニット４５のいずれか一方が選択されることにより、行われる。
【００３３】
本実施形態では、スイッチ４４によって入出力インターフェース“ＳＤＩＯ”との接続がカードスロット１５からＧＰＳユニット４５に切り換えられると、カードスロット１５が使用できない状態となる。このカードスロット１５が使用できない状態は制御部３１によって検出される。制御部３１は、この状態を検出すると、撮影画像データの記録先をＳＤメモリカード３９から制御部３１に接続された不揮発性の内蔵フラッシュメモリ５１に切り換えて、撮影画像データを内蔵フラッシュメモリ５１に記録する。制御部３１は、スイッチ４４による切り換えによってＧＰＳユニット４５と入出力インターフェース“ＳＤＩＯ”とが接続されてカードスロット１５が使用できない状態を検出すると、撮影画像データの記録先をＳＤメモリカード３９から他の記憶部、本実施形態では内蔵フラッシュメモリ５１に切り換える記録先切換手段を構成している。内蔵フラッシュメモリ５１は、デジタルカメラ１の内部に備えられた内蔵メモリであり、他の記憶部を構成している。
【００３４】
また、スイッチ４４によって入出力インターフェース“ＳＤＩＯ”との接続をカードスロット１５からＧＰＳユニット４５に切り換えた後に、例えば、撮影者が、カードスロット１５に装着されたメモリカード３９に記録された撮影画像データを画像再生ボタン１０の操作によって再生させたい場合、メニューボタン９の操作によって背面モニタ５に表示される切換設定画面において、撮影者によってカードスロット１５が選択される。カードスロット１５が選択されると、制御部３１の制御により、スイッチ４４は、入出力インターフェース“ＳＤＩＯ”との接続をＧＰＳユニット４５からカードスロット１５に戻す切り換え動作を行う。このような切り換え動作が行われると、カードスロット１５が使用できる状態となる。このカードスロット１５が使用できる状態に切り換わったことは、制御部３１によって検出される。制御部３１は、この状態を検出すると、撮影画像データの記録先を内蔵フラッシュメモリ５１からＳＤメモリカード３９に切り換えると共に、内蔵フラッシュメモリ５１に記録した撮影画像データをＳＤメモリカード３９に記録する。制御部３１は、入出力インターフェース“ＳＤＩＯ”との接続がスイッチ４４によってＧＰＳユニット４５からカードスロット１５に切り換えられて、カードスロット１５が使用可能となった状態を検出すると、内蔵フラッシュメモリ５１に記録された撮影画像データをＳＤメモリカード３９に記録する記録制御手段を構成している。
【００３５】
また、ＳＤコントローラ４３には、上述したカードアクセスランプ１７が接続されている。カードアクセスランプ１７は、赤色および緑色の２色に発光するＬＥＤからなる。スイッチ４４の切り換え動作により、入出力インターフェース“ＳＤＩＯ”にＧＰＳユニット４５が接続されて、カードスロット１５の使用ができない状態になると、ＳＤコントローラ４３の制御に基づいて、カードアクセスランプ１７は赤色に発光する。また、入出力インターフェース“ＳＤＩＯ”にカードスロット１５が接続されて、カードスロット１５に装着されたＳＤメモリカード３９に対するアクセスが可能な状態になると、ＳＤコントローラ４３の制御に基づいて、カードアクセスランプ１７は緑色に発光する。また、カードアクセスランプ１７は、カードスロット１５に装着されたＳＤメモリカード３９に対してデータのアクセスが行われると、点滅する。
【００３６】
このような構成において、スイッチ４４により入出力インターフェース“ＳＤＩＯ”にＧＰＳユニット４５が接続されてＧＰＳユニット４５が有する所定の機能が作動し、カードスロット１５に装着されたＳＤメモリカード３９が使用できない状態になっても、制御部３１が、その状態を検出すると、撮影画像データの記録先をＳＤメモリカード３９から内蔵フラッシュメモリ５１に切り換える。このため、本実施形態によるデジタルカメラ１によれば、ＧＰＳユニット４５を使用した状態でも、撮影画像データが内蔵フラッシュメモリ５１に記録されることとなり、撮影者は撮影を中断することなく撮影を行うことが可能となる。
【００３７】
また、本実施形態では、制御部３１が、カードスロット１５が使用可能となった状態を検出すると、内蔵フラッシュメモリ５１に記録された撮影画像データをＳＤメモリカード３９に記録する。このため、撮影者は、ＧＰＳユニット４５の使用を終えた後に、内蔵フラッシュメモリ５１に記録された撮影画像データをＳＤメモリカード３９に移動させる操作に煩わされることがない。
【００３８】
なお、上記実施形態では、他の記憶部を制御部３１に接続された内蔵フラッシュメモリ５１とする場合を説明したが、本発明はこれに限られるものではなく、例えば、制御プログラムが記録されている図示しないフラッシュメモリや、ＳＤＲＡＭ３２を他の記憶部として用いてもよい。
【００３９】
また、上記実施形態では、ＳＤコントローラ４３が、１つの入出力インターフェース“ＳＤＩＯ”を有する場合を説明したが、本発明はこれに限られるものではない。例えば、図４に示すように、ＳＤコントローラ４３が、複数の入出力インターフェース“ＳＤＩＯ１”および“ＳＤＩＯ２”を有する構成とすることも可能である。
【００４０】
この構成では、入出力インターフェース“ＳＤＩＯ１”にはスイッチ４４を介してカードスロット１５またはＧＰＳユニット４５のいずれか一方が接続され、入出力インターフェース“ＳＤＩＯ２”にはカードスロット１６が接続されている。すなわち、本構成のＳＤコントローラ４３は、入出力インターフェース“ＳＤＩＯ１”，“ＳＤＩＯ２”とカードスロット１５，１６との対が複数設けられている。なお、同図に示される部分以外の構成については、上記実施形態と同一であり、図示は省略してある。また、同図において図３と同一または相当する部分は同一の符号を付して説明する。
【００４１】
カードスロット１６に装着されるＳＤメモリカード３９と入出力インターフェース“ＳＤＩＯ２”との間では、入出力インターフェース“ＳＤＩＯ１”と同様に、シリアル転送によるデータの送受信が行われる。ＳＤコントローラ４３の内部回路および上記各入出力インターフェース“ＳＤＩＯ１”および“ＳＤＩＯ２”は、１チップで構成されている。
【００４２】
ＳＤコントローラ４３による撮影画像データのＳＤメモリカード３９への記録は、メニュー画面において撮影者により予め選択された記録モードに基づいて行われる。記録モードには、順次記録モード、分割記録モード、およびバックアップ記録モードがある。
【００４３】
まず、デジタルカメラ１の記録モードとして、撮影者が順次記録モードを選択した場合について説明する。
【００４４】
順次記録モードが選択された場合、撮影画像データは、最初、一方のカードスロット１５に装着された一のＳＤメモリカード３９に記録されるが、このＳＤメモリカード３９の記憶残容量が不足すると、他方のカードスロット１６に装着された他のＳＤメモリカード３９に順次切り換えられて記録される。
【００４５】
この場合、スイッチ４４によって入出力インターフェース“ＳＤＩＯ１”との接続がカードスロット１５からＧＰＳユニット４５に切り換えられると、カードスロット１５が使用できない状態となる。このカードスロット１５が使用できない状態は制御部３１によって検出される。制御部３１は、カードスロット１５が使用できない状態を検出すると、撮影画像データの記録先を一のＳＤメモリカード３９から内蔵フラッシュメモリ５１、またはカードスロット１６に装着された他のＳＤメモリカード３９に切り換える記録先切換手段を構成している。また、制御部３１は、撮影画像データの記録先が記録先切換手段によって内蔵フラッシュメモリ５１に切り換えられると撮影画像データを内蔵フラッシュメモリ５１に記録し、撮影画像データの記録先が記録先切換手段によってカードスロット１６に装着された他のＳＤメモリカード３９に切り換えられると撮影画像データをカードスロット１６に装着された他のＳＤメモリカード３９に記録する記録制御手段を構成している。デジタルカメラ１の内部に備えられた内蔵フラッシュメモリ５１、およびカードスロット１６に装着された他のＳＤメモリカード３９は、他の記憶部を構成している。
【００４６】
このような構成において、制御部３１は、入出力インターフェース“ＳＤＩＯ１”との接続がスイッチ４４によってＧＰＳユニット４５からカードスロット１５に切り換えられてカードスロット１５が使用可能となった状態を検出すると、内蔵フラッシュメモリ５１またはカードスロット１６に装着された他のＳＤメモリカード３９に記録された撮影画像データを、カードスロット１５に装着された一のＳＤメモリカード３９に記録する。
【００４７】
このような順次記録モードが選択されたデジタルカメラ１においては、上記のように、記録先切換手段である制御部３１が、スイッチ４４による切り換えによってＧＰＳユニット４５と入出力インターフェース“ＳＤＩＯ１”とが接続されてカードスロット１５が使用できない状態を検出すると、撮影画像データを内蔵フラッシュメモリ５１またはカードスロット１６に装着された他のＳＤメモリカード３９に記録する。また、記録制御手段である制御部３１が、カードスロット１５に装着された一のＳＤメモリカード３９が使用可能となったときに、内蔵フラッシュメモリ５１またはカードスロット１６に装着された他のＳＤメモリカード３９に記録された撮影画像データを、カードスロット１５に装着された一のＳＤメモリカード３９に記録する。このため、入出力インターフェース“ＳＤＩＯ１”，“ＳＤＩＯ２”とカードスロット１５，１６との対が複数設けられている場合でも、撮影画像データは内蔵フラッシュメモリ５１またはカードスロット１６に装着された他のＳＤメモリカード３９に記録されて、撮影者は、撮影を中断する必要がなく、しかも、ＧＰＳユニット４５の使用を終えた後に、内蔵フラッシュメモリ５１またはカードスロット１６に装着された他のＳＤメモリカード３９に記録された撮影画像データを、カードスロット１５に装着された一のＳＤメモリカード３９に移動させる操作に煩わされることがない。
【００４８】
次に、デジタルカメラ１の記録モードとして、撮影者が分割記録モードを選択した場合について説明する。
【００４９】
分割記録モードが選択された場合、撮影画像データは、カードスロット１５に装着された一のＳＤメモリカード３９およびカードスロット１６に装着された他のＳＤメモリカード３９に、同じ撮影画像データが異なる形式で記録される。例えば、ＲＡＷ形式やＪＰＥＧ形式といった撮影画像データの圧縮形式に応じて、各カードスロット１５，１６に装着された各ＳＤメモリカード３９に、同じ撮影画像データが振り分けて記録される。
【００５０】
この場合、スイッチ４４によって入出力インターフェース“ＳＤＩＯ１”との接続がカードスロット１５からＧＰＳユニット４５に切り換えられて、カードスロット１５が使用できない状態になったことを、記録先切換手段を構成する制御部３１が検出すると、制御部３１は、撮影画像データの記録先を一のＳＤメモリカード３９から内蔵フラッシュメモリ５１またはカードスロット１６に装着された他のＳＤメモリカード３９に切り換える。
【００５１】
また、制御部３１は、記録制御手段を構成しており、撮影画像データの記録先が記録先切換手段によって内蔵フラッシュメモリ５１に切り換えられると、カードスロット１５に装着された一のＳＤメモリカード３９に記録先が設定されている撮影画像データ（例えばＲＡＷ形式の撮影画像データ）を、内蔵フラッシュメモリ５１に記録する。または、撮影画像データの記録先が記録先切換手段によってカードスロット１６に装着された他のＳＤメモリカード３９に切り換えられると、カードスロット１５に装着された一のＳＤメモリカード３９に記録先が設定されている撮影画像データ、例えばＲＡＷ形式の撮影画像データを、カードスロット１６に装着された例えばＪＰＥＧ形式の撮影画像データが記録された他のＳＤメモリカード３９に、例えばＪＰＥＧ形式の撮影画像データと共にこれらを撮影画像データの拡張子で識別して、記録する。デジタルカメラ１の内部に備えられた内蔵フラッシュメモリ５１、およびカードスロット１６に装着された他のＳＤメモリカード３９は、他の記憶部を構成している。
【００５２】
このような構成において、制御部３１は、入出力インターフェース“ＳＤＩＯ１”との接続がスイッチ４４によってＧＰＳユニット４５からカードスロット１５に切り換えられてカードスロット１５が使用可能となった状態を検出すると、内蔵フラッシュメモリ５１またはカードスロット１６に装着された他のＳＤメモリカード３９に記録された撮影画像データ、例えばＲＡＷ形式の撮影画像データを、カードスロット１５に装着された一のＳＤメモリカード３９に記録する。カードスロット１６に装着された他のＳＤメモリカード３９からカードスロット１５に装着された一のＳＤメモリカード３９に移動させる撮影画像データは、制御部３１が、撮影画像データの拡張子を参照することによって、移動させない例えばＪＰＥＧ形式の撮影画像データと識別する。
【００５３】
このような分割記録モードが選択されたデジタルカメラ１においては、上記のように、記録先切換手段である制御部３１が、スイッチ４４による切り換えによってＧＰＳユニット４５と入出力インターフェース“ＳＤＩＯ１”とが接続されてカードスロット１５が使用できない状態を検出すると、カードスロット１５に装着された一のＳＤメモリカード３９に記録先が設定されている撮影画像データを、内蔵フラッシュメモリ５１またはカードスロット１６に装着された他のＳＤメモリカード３９に記録する。また、記録制御手段である制御部３１が、入出力インターフェース“ＳＤＩＯ１”との接続がスイッチ４４によってＧＰＳユニット４５からカードスロット１５に切り換えられてカードスロット１５が使用可能となった状態を検出すると、内蔵フラッシュメモリ５１またはカードスロット１６に装着された他のＳＤメモリカード３９に記録された撮影画像データを、カードスロット１５に装着された一のＳＤメモリカード３９に記録する。このため、カードスロット１５に装着された一のＳＤメモリカード３９およびカードスロット１６に装着された他のＳＤメモリカード３９に同じ撮影画像データを異なる形式で記録する設定を行った場合でも、撮影画像データは内蔵フラッシュメモリ５１またはカードスロット１６に装着された他のＳＤメモリカード３９に記録されて、撮影者は、撮影を中断する必要がなく、しかも、ＧＰＳユニット４５の使用を終えた後に、内蔵フラッシュメモリ５１またはカードスロット１６に装着された他のＳＤメモリカード３９に記録された撮影画像データを、カードスロット１５に装着された一のＳＤメモリカード３９に移動させる操作に煩わされることがない。
【００５４】
次に、デジタルカメラ１の記録モードとして、撮影者がバックアップ記録モードを選択した場合について説明する。
【００５５】
バックアップ記録モードが選択された場合、カードスロット１５に装着された一のＳＤメモリカード３９およびカードスロット１６に装着された他のＳＤメモリカード３９には同一の撮影画像データが記録される。すなわち、撮影画像データは、各カードスロット１５，１６に装着された個々のＳＤメモリカード３９に同じ様に記録される。
【００５６】
この場合、スイッチ４４によって入出力インターフェース“ＳＤＩＯ１”との接続がカードスロット１５からＧＰＳユニット４５に切り換えられて、カードスロット１５が使用できない状態になったことを、記録先切換手段を構成する制御部３１が検出すると、制御部３１は、撮影画像データの記録先を一のＳＤメモリカード３９から内蔵フラッシュメモリ５１およびカードスロット１６に装着された他のＳＤメモリカード３９に切り換える。
【００５７】
また、制御部３１は、記録制御手段を構成しており、撮影画像データの記録先が記録先切換手段によって内蔵フラッシュメモリ５１に切り換えられると、撮影画像データを内蔵フラッシュメモリ５１およびカードスロット１６に装着された他のＳＤメモリカード３９に記録する。また、撮影画像データの記録先が記録先切換手段によってカードスロット１６に装着された他のＳＤメモリカード３９に切り換えられると、撮影画像データをカードスロット１６に装着された他のＳＤメモリカード３９にのみ記録する。デジタルカメラ１の内部に備えられた内蔵フラッシュメモリ５１およびカードスロット１６に装着された他のＳＤメモリカード３９は、他の記憶部を構成している。
【００５８】
このような構成において、入出力インターフェース“ＳＤＩＯ１”との接続がスイッチ４４によってＧＰＳユニット４５からカードスロット１５に切り換えられてカードスロット１５が使用可能となった状態を検出すると、制御部３１は、内蔵フラッシュメモリ５１に記録された撮影画像データをカードスロット１５に装着された一のＳＤメモリカード３９に記録する。または、カードスロット１６に装着された他のＳＤメモリカード３９のみに記録された撮影画像データを、カードスロット１５に装着された一のＳＤメモリカード３９に複写する。
【００５９】
このようなバックアップ記録モードが選択されたデジタルカメラ１においては、上記のように、記録先切換手段である制御部３１が、スイッチ４４による切り換えによってＧＰＳユニット４５と入出力インターフェース“ＳＤＩＯ１”とが接続されてカードスロット１５が使用できない状態を検出すると、撮影画像データを内蔵フラッシュメモリ５１およびカードスロット１６に装着された他のＳＤメモリカード３９、またはカードスロット１６に装着された他のＳＤメモリカード３９にのみ記録する。また、記録制御手段である制御部３１が、入出力インターフェース“ＳＤＩＯ１”との接続がスイッチ４４によってＧＰＳユニット４５からカードスロット１５に切り換えられてカードスロット１５が使用可能となった状態を検出すると、内蔵フラッシュメモリ５１に記録された撮影画像データをカードスロット１５に装着された一のＳＤメモリカード３９に記録する、または、カードスロット１６に装着された他のＳＤメモリカード３９にのみ記録された撮影画像データを、カードスロット１５に装着された一のＳＤメモリカード３９に複写する。このため、カードスロット１５に装着された一のＳＤメモリカード３９およびカードスロット１６に装着された他のＳＤメモリカード３９に同一の撮影画像データを記録する設定を行った場合でも、撮影画像データは内蔵フラッシュメモリ５１またはカードスロット１６に装着された他のＳＤメモリカード３９に記録されて、撮影者は、撮影を中断する必要がなく、しかも、ＧＰＳユニット４５の使用を終えた後に、内蔵フラッシュメモリ５１またはカードスロット１６に装着された他のＳＤメモリカード３９に記録された撮影画像データを、カードスロット１５に装着された一のＳＤメモリカード３９に移動させる操作に煩わされることがない。
【００６０】
また、上記実施形態では、入出力インターフェース“ＳＤＩＯ１”だけに内部ユニットが接続される場合を説明したが、本発明はこれに限られるものではない。例えば、図５に示すように、入出力インターフェース“ＳＤＩＯ１”，“ＳＤＩＯ２”の各々に内部ユニットが接続される構成とすることも可能である。
【００６１】
この構成では、入出力インターフェース“ＳＤＩＯ１”には一の接続切換手段であるスイッチ４４ａを介してカードスロット１５またはＧＰＳユニット４５のいずれか一方が接続され、入出力インターフェース“ＳＤＩＯ２”には他の接続切換手段であるスイッチ４４ｂを介してカードスロット１６またはＷｉｆｉユニット４６が接続されている。本構成のＳＤコントローラ４３も、入出力インターフェース“ＳＤＩＯ１”，“ＳＤＩＯ２”とカードスロット１５，１６との対が複数設けられている。なお、同図に示される部分以外の構成については、上記実施形態と同一であり、図示は省略してある。また、同図において図４と同一または相当する部分は同一の符号を付して説明する。
【００６２】
Ｗｉｆｉユニット４６は、外部機器との間で無線により通信を行う無線ＬＡＮ（Local Area Network）機能を所定の機能として有する内部ユニットを構成しており、ＩＥＥＥ802.11シリーズの通信規格に基づいて外部機器と接続される。スイッチ４４ｂによる上記の切り換えは、メニューボタン９の操作によって背面モニタ５に表示される切換設定画面において、撮影者によって、カードスロット１６またはＷｉｆｉユニット４６のいずれか一方が選択されることにより、行われる。
【００６３】
上記の構成において、スイッチ４４ａによって入出力インターフェース“ＳＤＩＯ１”との接続がカードスロット１５からＧＰＳユニット４５に切り換えられて、カードスロット１５が使用できない状態になったこと、および、スイッチ４４ｂによって入出力インターフェース“ＳＤＩＯ２”との接続がカードスロット１６からＷｉｆｉユニット４６に切り換えられて、カードスロット１６が使用できない状態になったことが、記録先切換手段を構成する制御部３１によって検出されると、制御部３１は、撮影画像データの記録先を各ＳＤメモリカード３９から内蔵フラッシュメモリ５１に切り換えて、撮影画像データを内蔵フラッシュメモリ５１に記録する。デジタルカメラ１の内部に備えられた内蔵フラッシュメモリ５１は、他の記憶部を構成している。
【００６４】
記録制御手段を構成する制御部３１は、入出力インターフェース“ＳＤＩＯ１”との接続がスイッチ４４ａによってＧＰＳユニット４５からカードスロット１５に切り換えられてカードスロット１５が使用可能となった状態、または、入出力インターフェース“ＳＤＩＯ２”との接続がスイッチ４４ｂによってＷｉｆｉユニット４６からカードスロット１６に切り換えられてカードスロット１６が使用可能となった状態を検出すると、内蔵フラッシュメモリ５１に記録された撮影画像データを、使用可能となったカードスロット１５に装着された一のＳＤメモリカード３９、またはカードスロット１６に装着された他のＳＤメモリカード３９に記録する。
【００６５】
また、スイッチ４４ａによって入出力インターフェース“ＳＤＩＯ１”との接続がカードスロット１５からＧＰＳユニット４５に切り換えられ、または、スイッチ４４ｂによって入出力インターフェース“ＳＤＩＯ２”との接続がカードスロット１６からＷｉｆｉユニット４６に切り換えられ、カードスロット１５またはカードスロット１６のいずれか一方が使用できない状態が記録先切換手段を構成する制御部３１によって検出されると、制御部３１は、撮影画像データの記録先を、カードスロット１６に装着された他のＳＤメモリカード３９もしくはカードスロット１５に装着された一のＳＤメモリカード３９、または内蔵フラッシュメモリ５１に切り換えて、撮影画像データをカードスロット１６に装着された他のＳＤメモリカード３９もしくはカードスロット１５に装着された一のＳＤメモリカード３９、または内蔵フラッシュメモリ５１に記録する。デジタルカメラ１の内部に備えられた内蔵フラッシュメモリ５１、並びに、カードスロット１５に装着された一のＳＤメモリカード３９、およびカードスロット１６に装着された他のＳＤメモリカード３９は、他の記憶部を構成している。
【００６６】
記録制御手段を構成する制御部３１は、入出力インターフェース“ＳＤＩＯ１”との接続がスイッチ４４ａによってＧＰＳユニット４５からカードスロット１５に切り換えられてカードスロット１５が使用可能となった状態、または、入出力インターフェース“ＳＤＩＯ２”との接続がスイッチ４４ｂによってＷｉｆｉユニット４６からカードスロット１６に切り換えられてカードスロット１６が使用可能となった状態を検出すると、カードスロット１６に装着された他のＳＤメモリカード３９もしくはカードスロット１５に装着された一のＳＤメモリカード３９、または内蔵フラッシュメモリ５１に記録された撮影画像データを、使用可能となったカードスロット１５に装着された一のＳＤメモリカード３９またはカードスロット１６に装着された他のＳＤメモリカード３９に記録する。
【００６７】
このため、本構成によるデジタルカメラ１においては、上記のように、記録先切換手段である制御部３１が、一のカードスロット１５および他のカードスロット１６が使用できない状態を検出すると、撮影画像データを内蔵フラッシュメモリ５１に記録する。また、制御部３１が、一のカードスロット１５または他のカードスロット１６のいずれか一方が使用できない状態を検出すると、撮影画像データを他のカードスロット１６に装着された他のＳＤメモリカード３９もしくは一のカードスロット１５に装着された一のＳＤメモリカード３９、または内蔵フラッシュメモリ５１に記録する。そして、記録制御手段である制御部３１が、入出力インターフェース“ＳＤＩＯ１”との接続がスイッチ４４ａによってＧＰＳユニット４５から一のカードスロット１５に切り換えられて一のカードスロット１５が使用可能となった状態、または、入出力インターフェース“ＳＤＩＯ２”との接続がスイッチ４４ｂによってＷｉｆｉユニット４６から他のカードスロット１６に切り換えられて他のカードスロット１６が使用可能となった状態を検出すると、他のカードスロット１６に装着された他のＳＤメモリカード３９もしくは一のカードスロット１５に装着された一のＳＤメモリカード３９、または内蔵フラッシュメモリ５１に記録された撮影画像データを、使用可能となった一のカードスロット１５に装着された一のＳＤメモリカード３９または他のカードスロット１６に装着された他のＳＤメモリカード３９に記録する。このため、一のカードスロット１５または他のカードスロット１６がそれぞれスイッチ４４ａまたは４４ｂを介してＧＰＳユニット４５またはＷｉｆｉユニット４６に接続される場合でも、撮影画像データは他のカードスロット１６に装着された他のＳＤメモリカード３９もしくは一のカードスロット１５に装着された一のＳＤメモリカード３９、または内蔵フラッシュメモリ５１に記録されて、撮影者は、撮影を中断する必要がなく、しかも、ＧＰＳユニット４５またはＷｉｆｉユニット４６の使用を終えた後に、他のカードスロット１６に装着された他のＳＤメモリカード３９もしくは一のカードスロット１５に装着された一のＳＤメモリカード３９、または内蔵フラッシュメモリ５１に記録された撮影画像データを、使用可能となった一のカードスロット１５に装着された一のＳＤメモリカード３９または他のカードスロット１６に装着された他のＳＤメモリカード３９に移動させる操作に煩わされることがない。
【００６８】
なお、上記実施形態では、カードスロットと入出力インターフェースとの対が２つの場合について説明したが、３つ以上設けられた構成とすることも可能である。この場合、ＳＤコントローラ４３が、接続切換手段によって入出力インターフェース“ＳＤＩＯ”との接続がカードスロットからＧＰＳユニット４５に切り換えられると、カードスロットに装着されたＳＤメモリカード３９に記録する撮影画像データを、残りの２つ以上のカードスロットのうちの、予め設定されている他のカードスロット、あるいは撮影者の操作に基づいて選択される他のカードスロットに装着されたＳＤメモリカード３９に記録させる、または内蔵フラッシュメモリ５１に記録させる構成とすることができる。
【００６９】
また、上記各実施形態では、所定の規格のカードがＳＤカードである場合を説明したが、本発明はこれに限られるものではなく、他の規格に基づくカードが装着されるカードスロットを備えた構成としてもよい。また、図４および図５に示す構成では、これらの異なる規格に基づく各カードが各カードスロットに同時に装着される構成とすることも可能である。
【産業上の利用可能性】
【００７０】
上記実施形態においては、本発明による撮影装置をデジタルカメラに適用した場合について説明したが、所定の規格のカードが着脱自在に装着されるカードスロットを備えたビデオカメラやカメラ機能付き携帯電話機などの種々の撮影装置に本発明を適用することも可能である。このような撮影装置に本発明を適用した場合においても、上記実施形態と同様の作用効果が奏される。
【符号の説明】
【００７１】
１…デジタルカメラ
５…背面モニタ
６…マルチセレクタ
７…決定ボタン
９…メニューボタン
１０…画像再生ボタン
２０…シャッターボタン
２１…電源スイッチ
２２…上面表示パネル
３１…制御部
３９…ＳＤメモリカード
４３…ＳＤコントローラ
４４，４４ａ，４４ｂ…スイッチ
４５…ＧＰＳユニット
４６…Ｗｉｆｉユニット
５１…内蔵フラッシュメモリ
【図１】
0005476851.tif 000002
【図２】
0005476851.tif 000003
【図３】
0005476851.tif 000004
【図４】
0005476851.tif 000005
【図５】
0005476851.tif 000006